(57)【要約】【課題】電力系統の負荷平準化と熱需要施設への熱の低価格提供を実施すること。【解決手段】発電所等のプラントで使用された温排水ａを熱源として熱を汲み上げ、内部に冷媒のヒートポンプサイクル２２を有するヒートポンプ１２と、ヒートポンプ１２に接続され、ヒートポンプ１２によって加熱された高温温熱流体ｄが流動する温熱流体ライン２４とを有する。温熱流体ライン２４の温熱流体出口部２６と脱着可能に接続され、ヒートポンプ１２によって加熱された高温温熱流体ｄが導入される蓄熱槽２９と、蓄熱槽２９を発電所等のプラントの施設外部に輸送するトレーラ３０とを有する。蓄熱槽２９の内部にはカプセル３５が保有され、カプセル３５に、高温温熱流体ｄの熱を蓄熱する酢酸ソーダ３６を充填させる。【選択図】  図１
2005257173.tif 000002
【特許請求の範囲】
【請求項１】
発電所等のプラントで使用された温排水から熱を汲み上げるヒートポンプを備えた熱供給システムであって、
前記温排水を熱源として熱を汲み上げ、内部に冷媒のヒートポンプサイクルを有するヒートポンプと、
前記ヒートポンプに接続され、前記ヒートポンプによって加熱された高温温熱流体が流動する温熱流体ラインと、
前記温熱流体ラインの温熱流体出口部と脱着可能に接続され、前記ヒートポンプによって加熱された高温温熱流体が導入される蓄熱槽と、
前記蓄熱槽を発電所等のプラントの施設外部に輸送する輸送手段とを有したことを特徴とする温排水を利用した熱供給システム。
【請求項２】
発電所等のプラントで使用された温排水から熱を汲み上げるヒートポンプを備えた熱供給システムであって、
前記温排水を熱源として熱を汲み上げ、内部に冷媒のヒートポンプサイクルを有するヒートポンプと、
前記ヒートポンプからの高温温熱流体を熱源として冷熱を汲み上げる吸着式冷凍機と、
前記吸着式冷凍機によって冷却された低温冷熱流体が流動する冷熱流体ラインと、
前記冷熱流体ラインの冷熱流体出口部と脱着可能に接続され、前記吸着式冷凍機によって冷却された低温冷熱流体が導入される蓄熱槽と、
前記蓄熱槽を発電所等のプラントの施設外部に輸送する輸送手段とを有したことを特徴とする温排水を利用した熱供給システム。
【請求項３】
前記蓄熱槽の内部にカプセルが保有され、前記カプセルに、前記高温温熱流体の熱または前記低温冷熱流体の冷熱を蓄熱する潜熱蓄熱材を充填させることを特徴とする請求項１又は２に記載の温排水を利用した熱供給システム。
【請求項４】
発電所等のプラントで使用された温排水から熱を汲み上げるヒートポンプを備えた熱供給システムであって、
発電所等のプラントの施設外部に輸送する輸送手段と、
熱または冷熱が蓄熱される蓄熱槽と、
前記蓄熱槽によって加熱または冷却された高温温熱流体または低温冷熱流体が流動する流体ラインと、
前記流体ラインの流体供給部と接続され、前記蓄熱槽によって加熱または冷却された高温温熱流体または低温冷熱流体が導入される熱需要施設とを有したことを特徴とする温排水を利用した熱供給システム。
【請求項５】
発電所等のプラントで使用された温排水から熱を汲み上げるヒートポンプを備えた熱供給方法であって、
前記ヒートポンプの熱交換機能を利用して前記プラントからの温排水を熱源として熱を汲み上げ、温熱流体を加熱させて高温温熱流体を得る工程と、
加熱された高温温熱流体を蓄熱槽に導入させることにより、前記蓄熱槽内部の温度を所要温度に加熱させる工程と、
前記蓄熱槽を輸送手段に設置させ、前記蓄熱槽を発電所等のプラントの施設外部に輸送させる工程とを有することを特徴とする温排水を利用した熱供給方法。
【請求項６】
発電所等のプラントで使用された温排水から熱を汲み上げるヒートポンプを備えた熱供給方法であって、
前記ヒートポンプの熱交換機能を利用して前記プラントからの温排水を熱源として熱を汲み上げ、温熱流体を加熱させて高温温熱流体を得る工程と、
吸着式冷凍機の熱交換機能を利用して前記高温温熱流体を熱源として冷熱を汲み上げ、冷熱流体を冷却させて低温冷熱流体を得る工程と、
冷却された低温冷熱流体を蓄熱槽に導入させることにより、前記蓄熱槽内部の温度を所要温度に冷却させる工程と、
前記蓄熱槽を輸送手段に設置させ、前記蓄熱槽を発電所等のプラントの施設外部に輸送させる工程とを有することを特徴とする温排水を利用した熱供給方法。
【請求項７】
発電所等のプラントで使用された温排水から熱を汲み上げるヒートポンプを利用した熱供給方法であって、
熱または冷熱が蓄熱された蓄熱槽を輸送手段に設置させ、前記蓄熱槽を発電所等のプラントの施設内部から熱需要施設に輸送させる工程と、
熱または冷熱が蓄熱された蓄熱槽からの高温温熱流体または低温冷熱流体を熱需要施設に供給する工程とを有することを特徴とする温排水を利用した熱供給方法。
【発明の詳細な説明】
【技術分野】
【０００１】
本発明は、発電所等のプラントから排出される温排水を利用した蓄熱および輸送手段の技術に係り、特に、ヒートポンプを利用して温排水の排熱からの熱または冷熱を蓄熱して、バッチ式で熱需要施設まで輸送する温排水を利用した熱供給システムおよびその供給方法に関する。
【背景技術】
【０００２】
ヒートポンプの特長は、物質を燃焼等によって熱を造るのではなく、自然界の排水等を熱源水（未利用エネルギー）を利用して、排水から熱を供給するものである。加えて、ヒートポンプは、物質を燃焼等によって熱を造るのではないので、燃焼による有害ガスの排出防止と、系外への放熱防止に利点がある。
【０００３】
また、ヒートポンプは、熱交換によって熱を製造するものであり、ヒートポンプを駆動させるための動力は必要であるが、そのエネルギーはあくまで熱の移動に使われるため、ロスがなく非常に効率的である。
【０００４】
例えば、モータ（動力）でヒートポンプを駆動した場合、投入エネルギーに対する効率は、伝熱ヒータで加熱した場合の３〜４倍程度、ボイラーで加熱した場合の６〜７倍程度である。さらに、ボイラーの寿命が７〜１０年であるのに対し、ヒートポンプは、連切な保守点検により、半永久的に使用可能である。
【０００５】
ヒートポンプを作用させるために、熱源水として、発電所等のプラントから多量に排出される温排水が注目されている。温排水は、熱供給源としては温度が低いため、温排水を直接熱源水として利用されていないが、温排水を利用して、温排水の排熱を効果的に供給する圧縮式ヒートポンプがある（例えば、特許文献１参照。）。
【０００６】
例えば、発電所等のプラントから多量に排出される温排水を熱源水として、圧縮式ヒートポンプから供給された熱と自然海水とから魚介類の生育に最も適した水温（１６℃〜２０℃）の海水を人工的に作製する。そして、人工的に作製された海水を利用して植物の育成、魚介類の養殖、例えば、アワビ・サザエ等の養殖が行なわれる。特に、冬季に自然海水の水温が約１０℃以下になると、アワビ・サザエはほとんど餌を食べないため成長が鈍るが、人工的な海水の水温制御を行なうことにより、アワビ・サザエの一年を通しての成長が可能となる。
【０００７】
魚介類の養殖等では、親貝から産卵・ふ化させた幼生を自然海水で稚貝まで育成し、発電所等のプラント周辺の海域に放流するなどして、発電所等のプラントが設置される地元の漁業振興にも貢献している。
【特許文献１】特開平１０−１８５３５０号公報（第２頁、図１）
【発明の開示】
【発明が解決しようとする課題】
【０００８】
発電所等のプラント近傍にて行なわれる植物の育成、魚介類の養殖等に使用される熱の需要は比較的少量であり、需要に対して、熱の供給能力には余裕がある。よって、魚介類の養殖等、その他の熱需要施設に熱の供給を実施するために、発電所等のプラントと熱需要施設とに熱流体を移送するパイプラインを敷設させることが考えられる。
【０００９】
熱需要施設の立地条件として、発電所等のプラント近傍に熱需要施設が存在することは少ないので、発電所等のプラントと熱需要施設とに熱流体を移送するパイプラインを敷設しようとすると、パイプラインの敷設コストが膨大になる。
【００１０】
よって、特許文献１によると、発電所等のプラントから多量に排出される温排水の排熱を蓄熱して熱需要施設に供給できるが、熱流体の移送コスト面にて熱需要施設の立地条件に制約がある。実際には、パイプライン敷設のコスト面から、発電所等のプラント近傍（約３ｋｍ以内）の熱需要施設にしか熱供給を行なうことができず、温排水の排熱の利用範囲は、発電所等のプラント近傍にて魚介類の養殖等を行なうことに留まっている。
【００１１】
また、我が国の電気事業の電力系統の負荷率は、年々低下傾向をたどってきており、昭和４０年代の約７０％の水準が、現在では約５５％程度の水準まで低下している。このような負荷率の低下の主要な要因として、家庭用・業務用の施設（一般家庭・工場・病院・学校等の空調または給湯等）による冷暖房空調需要の急増による最大需要電力の尖鋭化が挙げられる。
【００１２】
よって、今後は、発電所等のプラントの設置場所より遠方、例えば、市街地等に設置される比較的電力重要の大きい家庭用・業務用の施設にも温排水の排熱を利用した流体熱の供給を行ない、冷暖房空調需要時に利用させる技術が求められる。
【００１３】
また、低価格帯である深夜電力は、需要の低下に伴い電力余剰となるので、余剰分の電力は、例えば、揚水発電ダムにおける揚水に利用される。揚水発電ダムは、急しゅんな山間部の上下２カ所にダムを造り、余剰の深夜電力を利用して、下のダムの水を上のダムに揚水し、昼間の電力需要ピーク時に、揚水された水を上から下のダムへ落下させて発電を行なう。
【００１４】
ところが、揚水発電ダムでは、投入した揚水用電力の７０％程度しか発電できず、年間稼働率はわずか５％程度であり非効率的である。また、揚水発電ダムの建設・維持管理に対して、電力会社は数千億円もの巨費を投じる等、コスト面の負担が大きい。
【００１５】
本発明は、上述した事情を考慮してなされたもので、電力系統の負荷平準化と熱需要施設への熱または冷熱の低価格提供を実施できる温排水を利用した熱供給システムおよびその供給方法を提供することを目的とする。
【課題を解決するための手段】
【００１６】
本発明に係る温排水を利用した熱供給システムは、上述した課題を解決するために、発電所等のプラントで使用された温排水から熱を汲み上げるヒートポンプを備えた熱供給システムであって、前記温排水を熱源として熱を汲み上げ、内部に冷媒のヒートポンプサイクルを有するヒートポンプと、前記ヒートポンプに接続され、前記ヒートポンプによって加熱された高温温熱流体が流動する温熱流体ラインと、前記温熱流体ラインの温熱流体出口部と脱着可能に接続され、前記ヒートポンプによって加熱された高温温熱流体が導入される蓄熱槽と、前記蓄熱槽を発電所等のプラントの施設外部に輸送する輸送手段とを有したことを特徴とする。
【００１７】
また、本発明に係る温排水を利用した熱供給システムは、発電所等のプラントで使用された温排水から熱を汲み上げるヒートポンプを備えた熱供給システムであって、前記温排水を熱源として熱を汲み上げ、内部に冷媒のヒートポンプサイクルを有するヒートポンプと、前記ヒートポンプからの高温温熱流体を熱源として冷熱を汲み上げる吸着式冷凍機と、前記吸着式冷凍機によって冷却された低温冷熱流体が流動する冷熱流体ラインと、前記冷熱流体ラインの冷熱流体出口部と脱着可能に接続され、前記吸着式冷凍機によって冷却された低温冷熱流体が導入される蓄熱槽と、前記蓄熱槽を発電所等のプラントの施設外部に輸送する輸送手段とを有したことを特徴とする。
【００１８】
続いて、本発明に係る温排水を利用した熱供給システムは、発電所等のプラントで使用された温排水から熱を汲み上げるヒートポンプを備えた熱供給システムであって、発電所等のプラントの施設外部に輸送する輸送手段と、熱または冷熱が蓄熱される蓄熱槽と、前記蓄熱槽によって加熱または冷却された高温温熱流体または低温冷熱流体が流動する流体ラインと、前記流体ラインの流体供給部と接続され、前記蓄熱槽によって加熱または冷却された高温温熱流体または低温冷熱流体が導入される熱需要施設とを有したことを特徴とする。
【００１９】
加えて、本発明に係る温排水を利用した熱供給方法は、発電所等のプラントで使用された温排水から熱を汲み上げるヒートポンプを備えた熱供給方法であって、前記ヒートポンプの熱交換機能を利用して前記プラントからの温排水を熱源として熱を汲み上げ、温熱流体を加熱させて高温温熱流体を得る工程と、加熱された高温温熱流体を蓄熱槽に導入させることにより、前記蓄熱槽内部の温度を所要温度に加熱させる工程と、前記蓄熱槽を輸送手段に設置させ、前記蓄熱槽を発電所等のプラントの施設外部に輸送させる工程とを有することを特徴とする。
【００２０】
また、本発明に係る温排水を利用した熱供給方法は、発電所等のプラントで使用された温排水から熱を汲み上げるヒートポンプを備えた熱供給方法であって、前記ヒートポンプの熱交換機能を利用して前記プラントからの温排水を熱源として熱を汲み上げ、温熱流体を加熱させて高温温熱流体を得る工程と、吸着式冷凍機の熱交換機能を利用して前記高温温熱流体を熱源として冷熱を汲み上げ、冷熱流体を冷却させて低温冷熱流体を得る工程と、冷却された低温冷熱流体を蓄熱槽に導入させることにより、前記蓄熱槽内部の温度を所要温度に冷却させる工程と、前記蓄熱槽を輸送手段に設置させ、前記蓄熱槽を発電所等のプラントの施設外部に輸送させる工程とを有することを特徴とする。
【００２１】
さらに、本発明に係る温排水を利用した熱供給方法は、発電所等のプラントで使用された温排水から熱を汲み上げるヒートポンプを利用した熱供給方法であって、熱または冷熱が蓄熱された蓄熱槽を輸送手段に設置させ、前記蓄熱槽を発電所等のプラントの施設内部から熱需要施設に輸送させる工程と、熱または冷熱が蓄熱された蓄熱槽からの高温温熱流体または低温冷熱流体を熱需要施設に供給する工程とを有することを特徴とする。
【発明の効果】
【００２２】
本発明に係る温排水を利用した熱供給システムおよびその供給方法によると、電力系統の負荷平準化と熱需要施設への熱または冷熱の低価格提供を実施できる。
【発明を実施するための最良の形態】
【００２３】
以下、本発明に係る温排水を利用した熱供給システムおよびその供給方法の実施形態について、添付図面を参照して説明する。
【００２４】
なお、添付図面中、同一の構成要素には同一符号を付して重複した説明を省略する。
【００２５】
図１は、本発明に係る熱供給システムの第１の実施形態であって、温潜熱蓄熱装置を示す概略図である。
【００２６】
図１は、熱供給システム１を示し、この熱供給システム１は、温潜熱蓄熱装置１０を備える。温潜熱蓄熱装置１０は、大きくは、発電所等のプラントから多量に排出される温排水ａを貯水する温排水ピット１１と、貯水された温排水ａから熱を汲み上げるヒートポンプ１２と、このヒートポンプ１２にて温熱流体ｃが加熱されて高温温熱流体ｄとなり、排出される高温温熱流体ｄの熱を蓄熱・輸送する蓄熱・輸送ユニット１４とから構成される。
【００２７】
温排水ａを貯水する温排水ピット１１には、途中に熱源水側ポンプ１６を備える熱源水側ライン１７が接続される。熱源水側ライン１７に備える熱源水側ポンプ１６によって、温排水ａが、温排水ピット１１からヒートポンプ１２に供給される。温排水ａは、ヒートポンプ１２の蒸発器１８にて放熱する一方、この放熱によって冷却された流体は排水ｂとなり、蒸発器１８から再び温排水ピット１１に還流される閉じた循環回路が形成される。
【００２８】
なお、ヒートポンプ１２の蒸発器１８にて放熱した排水ｂは、温排水ａより低温となる。よって、温排水ピット１１に貯水される温排水ａの温度を所要の温度に維持するために、放熱した排水ｂは、温排水ピット１１に還流させなくてもよい。その場合、例えば、熱源水側ライン１７の最下流部に排水ピット（図示しない）を備え、放熱した排水ｂを排水ピットへ貯水させて、排水ｂを温排水ａ，排水ｂの循環系から切り離す。
【００２９】
ヒートポンプ１２には、温排水ａの放熱により冷媒を加熱して温熱ガスに変化させる蒸発器１８と、この蒸発器１８にて加熱された温熱ガスをさらに圧縮加熱させるコンプレッサ１９と、このコンプレッサ１９の吐出側に設けられる凝縮器２０と、この凝縮器２０の下流側に膨張機構２１とをそれぞれ備え、閉じたヒートポンプサイクル２２が構成される。
【００３０】
ヒートポンプ１２の凝縮器２０には、途中に温熱循環ポンプ２３を備える温熱流体ライン２４が熱交換可能に設けられる。温熱流体ライン２４に備える温熱循環ポンプ２３によって、温熱流体ｃが、温熱流体入口部２５から凝縮器２０に供給される。温熱流体ｃは、凝縮器２０にて吸熱して、吸熱によって加熱された流体は高温温熱流体ｄとなり、凝縮器２０から温熱流体出口部２６に送られる構成とする。
【００３１】
蓄熱・輸送ユニット１４は、高温温熱流体ｄが導入される流体導入部２７と温熱流体ｃが導出される流体導出部２８とを有する蓄熱槽２９と、蓄熱槽２９を輸送させる輸送手段、例えば、トレーラ３０とを有する。蓄熱槽２９はトレーラ３０に脱着可能に設けられる。蓄熱槽２９をトレーラ３０に設置することで、トレーラ３０によって蓄熱槽２９を発電所等のプラントの施設外部に牽引させ、蓄熱槽２９を引き出せるようになっている。
【００３２】
ここで、ヒートポンプ１２の凝縮器２０に接続される温熱流体ライン２４の温熱流体出口部２６と、蓄熱槽２９の流体導入部２７とを脱着可能な接続手段３１ａにて接続させる。一方、蓄熱槽２９の流体導出部２８と、温熱流体ライン２４の温熱流体入口部２５とを脱着可能な接続手段３１ｂにて接続させる。すなわち、温熱流体側ライン２４に備える温熱循環ポンプ２３によって、高温温熱流体ｄが、凝縮器２０から温熱流体ライン２４を介して蓄熱槽２９に導入され、蓄熱槽２９にて温熱流体ｃとなる。この温熱流体ｃが、蓄熱槽２９から温熱流体ライン２４を介して再び凝縮器２０に還流される閉じた循環回路が形成される。
【００３３】
なお、図１に示された温潜熱蓄熱装置１０では、脱着可能な接続手段３１ａによって熱流体出口部２６と流体導入部２７とを接続させ、脱着可能な接続手段３１ｂによって流体導出部２８と温熱流体入口部２５とを接続させて閉じた循環回路を形成させたが、脱着可能な接続手段３１ａによって熱流体出口部２６と流体導入部２７とのみを接続させてもよい。その場合、外部からの温熱流体ｃを温熱流体入口部２５からヒートポンプ１２の凝縮器２０に供給させ、蓄熱槽２９からの温熱流体ｃを流体導出部２８から外部の自然環境に放流させる。
【００３４】
また、蓄熱槽２９にはカプセル３５が保有され、このカプセル３５には蓄熱材が充填される。そして、充填された蓄熱材の蓄熱容量等によって蓄熱槽２９の容量が決定される。例えば、蓄熱材として温潜熱蓄熱材である酢酸ソーダ（蓄熱容量約１８１ＭＪ／ｍ３）３６を利用した場合、トレーラ３０の積載重量制限と輸送距離とからコスト面を考慮して、蓄熱槽２９を、例えば、１８ｍ３程度あるいはそれ以下とすることが望ましい。蓄熱材として酢酸ソーダ３６を利用したが、特に、酢酸ソーダ３６に限定するものではなく、例えば、酢酸ソーダ混合物や硫酸ソーダ等を利用してもよい。
【００３５】
ここで、蓄熱方式には、潜熱蓄熱方式の他に、顕熱蓄熱方式と、化学蓄熱方式とがあり、顕熱蓄熱方式は、蓄熱材として水・有機熱媒体・岩石等をそれぞれ使用し、最も経済性に優れている。一方、化学蓄熱方式は、蓄熱材としてアンモニア化合物等を使用し、蓄熱密度（ｋｇ／ｍ３）が大きいので蓄熱槽２９の容量が小さく、かつ、熱損失も小さいという特長がある。
【００３６】
図１に示された温潜熱蓄熱装置１０の場合、顕熱蓄熱方式では蓄熱密度が小さいので、大型容量の蓄熱槽２９を必要とし、化学蓄熱方式では、蓄熱材が高価なことおよび蓄熱材の熱伝導性が極めて悪いため実用性に乏しい。
【００３７】
顕熱蓄熱方式および化学蓄熱方式に対して潜熱蓄熱方式は、温潜熱蓄熱材としての酢酸ソーダ（相変化温度約５５℃）、酢酸ソーダ混合物（相変化温度約４７℃）、硫酸ソーダ（相変化温度約８〜１１℃）等と、冷潜熱蓄熱材としての水（相変化温度約０℃）等とがある。温潜熱蓄熱材・冷潜熱蓄熱材の固相・液相間の相変化（固相⇔液相）による融解熱または結晶転移熱を利用する。潜熱蓄熱方式を利用すると、蓄熱材の単位容量当たりの蓄熱容量が大きいため、蓄熱槽２９の容量を縮小できると共に、熱損失を低減できる。また、相変化または結晶転移温度にて一定温度の熱を取出すことができる。
【００３８】
なお、図１に示された温潜熱蓄熱装置１０は、ＳＴＬ（Stockage Par Chaleur Latente）型の蓄熱槽２９を示しているが、特にＳＴＬ型に限定したものではなく、例えば、伝熱管コイル型等でもよい。
【００３９】
続いて、温潜熱蓄熱装置１０の温潜熱蓄熱作用について説明する。
【００４０】
まず、トレーラ３０によって蓄熱槽２９を発電所等のプラントの施設内部に牽引する。そして、ヒートポンプ１２の凝縮器２０に接続される温熱流体ライン２４の温熱流体出口部２６と、蓄熱槽２９の流体導入部２７とを接続手段３１ａにて接続させる。一方、蓄熱槽２９の流体導出部２８と、温熱流体ライン２４の温熱流体入口部２５とを接続手段３１ｂにて接続させる。
【００４１】
一方、発電所等のプラントから多量に温排水ａが排出され、海水と比較して、例えば、７℃程度温度の高い温排水ａは、温排水ピット１１に貯水される。貯水された温排水ａは、熱源水側ポンプ１６を稼動させることによって、温排水ピット１１から熱源水側ライン１７を介してヒートポンプ１２の蒸発器１８に案内される。
【００４２】
ヒートポンプ１２の蒸発器１８では、蒸発器１８に接続される熱源水側ライン１７によって案内される温排水ａと、ヒートポンプ１２のヒートポンプサイクル２２を循環する冷媒とを介して熱交換が行なわれる。なお、温排水ａは、蒸発器１８の熱交換にて放熱して、排水ｂとなって温排水ピット１１に還流される。
【００４３】
ヒートポンプ１２の凝縮器２０では、ヒートポンプサイクル２２を循環する冷媒が温排水ａから吸熱して温熱ガスに状態変化される。さらに、温熱ガスは、コンプレッサ１９によって圧縮加熱されて高温高圧ガスに変化され、コンプレッサ１９の吐出側の凝縮器２０にて放熱して温水となる。この温水は、膨張機構２１によって膨張されて再び冷媒に変化される。
【００４４】
また、ヒートポンプ１２の凝縮器２０では、ヒートポンプ１２内部のヒートポンプサイクル２２を循環する高温高圧ガスと、凝縮器２０に接続される温熱流体ライン２４によって案内される温熱流体ｃとによる熱交換が行なわれる。すなわち、温熱流体ライン２４によって案内される温熱流体ｃは、凝縮器２０にて高温高圧ガスから吸熱して、吸熱によって加熱された高温温熱流体ｄとなる。
【００４５】
そして、ヒートポンプ１２の凝縮器２０によって加熱された高温温熱流体ｄは、温熱流体ライン２４を介して蓄熱槽２９に導入される。
【００４６】
さらに、高温温熱流体ｄは、蓄熱槽２９内部のカプセル３５に充填される酢酸ソーダ３６に放熱して、蓄熱槽２９から導出されるときには温度降下され、温熱流体ｃに変化する。この温熱流体ｃは、温熱流体ライン２４を介してヒートポンプ１２の凝縮器２０に還流される。
【００４７】
ここで、蓄熱槽２９内部のカプセル３５に充填される潜熱蓄熱材としての酢酸ソーダ３６は、温熱流体ｃ，高温温熱流体ｄの流体循環前は固相である。温熱流体ｃ，高温温熱流体ｄの流体循環が所要の時間行なわれると、蓄熱槽２９内部の酢酸ソーダ３６は、高温温熱流体ｄから吸熱を続ける。そして、蓄熱槽２９内部の酢酸ソーダ３６は、酢酸ソーダ３６の相変化温度（約５５℃）以上に加熱され、固相から液相に相変化する。すなわち、高温温熱流体ｄから奪った熱を蓄熱槽２９内部の酢酸ソーダ３６に温潜熱蓄熱させる。
【００４８】
温熱流体ｃ，高温温熱流体ｄの流体循環は所要の時間行なわれ、蓄熱槽２９内部の蓄熱温度を調整する。そして、温熱流体ｃ，高温温熱流体ｄの流体循環開始から所要の時間経過後、温熱循環ポンプ２３を停止させ、温熱流体ｃ，高温温熱流体ｄの流体循環を停止させる。
【００４９】
さらに、接続手段３１ａ，３１ｂによる接続をそれぞれ解除させ、温熱流体出口部２６と流体導入部２７とを切り離し、また、流体導出部２８と温熱流体入口部２５とを切り離す。すなわち、蓄熱槽２９を温熱流体ライン２４から離脱させる。
【００５０】
そして、温熱流体ｃ，高温温熱流体ｄの流体循環系から離脱された蓄熱槽２９を、トレーラ３０によって発電所等のプラントの施設外部に牽引する。
【００５１】
図２は、本発明に係る熱供給システムの第１の実施形態であって、温潜熱放熱装置を示す概略図である。
【００５２】
図２は、熱供給システム１を示し、この熱供給システム１は、温潜熱放熱装置４０を備える。温潜熱放熱装置４０は、大きくは、図１に示された温潜熱蓄熱装置１０によって温潜熱蓄熱された酢酸ソーダ３６が充填される蓄熱槽２９と、トレーラ３０とから構成される蓄熱・輸送ユニット１４と、熱需要施設４２とから構成される。熱需要施設４２として、例えば、市街地等に設置される一般家庭・工場・病院・学校等（以下、「一般施設」という。）４２ａがある。
【００５３】
さらに、一般施設４２ａ、例えば、一般施設４２ａの内部または近郊に設置される貯湯槽（図示しない）には、途中に循環ポンプ４３を備える流体ライン４４が接続される。流体ライン４４によって、高温温熱流体ｄが、流体供給部４５から一般施設４２ａの貯湯槽に供給される。高温温熱流体ｄは、一般施設４２ａの貯湯槽にて放熱して、放熱によって冷却された流体は温熱流体ｃとなり、一般施設４２ａから流体排出部４６に送られる構成とする。
【００５４】
ここで、蓄熱槽２９の流体導出部２８と一般施設４２ａに接続される流体ライン４４の流体供給部４５とを脱着可能な接続手段３１ｃにて接続させる。一方、流体ライン４４の流体排出部４６と蓄熱槽２９の流体導入部２７とを脱着可能な接続手段３１ｄにて接続させる。すなわち、流体ライン４４に備える循環ポンプ４３によって、高温温熱流体ｄが、蓄熱槽２９から流体ライン４４を介して一般施設４２ａに供給され、一般施設４２ａにて温熱流体ｃとなる。この温熱流体ｃが、一般施設４２ａから流体ライン４４を介して再び蓄熱槽２９に還流される閉じた循環回路が形成される。
【００５５】
なお、図２に示された温潜熱放熱装置４０では、脱着可能な接続手段３１ｃによって流体導出部２８と流体供給部４５とを接続させ、脱着可能な接続手段３１ｄによって流体排出部４６と流体導入部２７とを接続させて閉じた循環回路を形成させたが、脱着可能な接続手段３１ｃによって流体導出部２８と流体供給部４５とのみを接続させてもよい。その場合、外部からの温熱流体ｃを流体導入部２７から蓄熱槽２９に供給させ、一般施設４２ａからの温熱流体ｃを流体排出部４６から外部の自然環境に放流させる。
【００５６】
続いて、温潜熱放熱装置４０の温潜熱放熱作用について説明する。
【００５７】
まず、図１に示された温潜熱蓄熱装置１０によって温潜熱蓄熱された酢酸ソーダ３６が充填される蓄熱槽２９は、トレーラ３０によって、発電所等のプラントから流体ライン４４が接続された一般施設４２ａ近郊まで牽引される。そして、蓄熱槽２９の流体導出部２８と、一般施設４２ａに接続される流体ライン４４の流体供給部４５とを接続手段３１ｃにて接続させる。一方、流体ライン４４の流体排出部４６と、蓄熱槽２９の流体導入部２７とを接続手段３１ｄにて接続させる。
【００５８】
蓄熱槽２９の流体導入部２７から導入された温熱流体ｃは、蓄熱槽２９内部のカプセル３５に充填された酢酸ソーダ３２から吸熱して、吸熱によって加熱された高温温熱流体ｄは、蓄熱槽２９の流体導出部２８から流体ライン４４を介して熱需要施設４２、例えば、一般施設４２ａ内部または近郊に備える貯湯槽（図示しない）に供給される。
【００５９】
貯湯槽では、高温温熱流体ｄが貯水されると共に、必要に応じて上水が加えられ、貯湯槽内部は温度調整される。そして、温度調整された貯湯槽の温水を一般施設４２ａの所要の箇所に設置された給水口に供給し、給水口から給湯として使用させる。
【００６０】
また、熱需要施設４２では、高温温熱流体ｄを、例えば、一般施設４２ａ内部または近郊に設置された適当な熱交換器（図示しない）を介して、冷気が暖気に熱交換され、一般施設４２ａ内部の所要の場所の暖房設備として機能する。
【００６１】
さらに、高温温熱流体ｄは、一般施設４２ａ内部にて放熱して温度降下され、温熱流体ｃに変化する。この温熱流体ｃは、流体ライン４４を介して流体導入部２７から蓄熱槽２９に還流される。
【００６２】
ここで、蓄熱槽２９内部のカプセル３５に充填される酢酸ソーダ３６は、高温温熱流体ｄ，温熱流体ｃの流体循環前は液相である。高温温熱流体ｄ，温熱流体ｃの流体循環が所要の時間行なわれると、蓄熱槽２９内部の酢酸ソーダ３６は、温熱流体ｃへの放熱を続ける。そして、蓄熱槽２９内部の酢酸ソーダ３６は、酢酸ソーダ３６の相変化温度（約５５℃）以下に冷却され、液相から固相に相変化する。
【００６３】
高温温熱流体ｄ，温熱流体ｃの流体循環は所要の時間行なわれ、高温温熱流体ｄ，温熱流体ｃの流体循環開始から所要の時間経過後、循環ポンプ４３を停止させ、高温温熱流体ｄ，温熱流体ｃの流体循環を停止させる。
【００６４】
さらに、接続手段３１ｃ，３１ｄによる接続をそれぞれ解除させ、流体導出部２８と流体供給部４５とを切り離し、また、流体排出部４６と流体導入部２７とを切り離す。すなわち、蓄熱槽２９を流体ライン４４から離脱させる。
【００６５】
そして、高温温熱流体ｄ，温熱流体ｃの流体循環系から離脱された蓄熱槽２９を、トレーラ３０によって発電所等のプラントの施設内部に牽引する。続いて、図１に示された温潜熱蓄熱装置１０による蓄熱槽２９の温潜熱蓄熱作用を繰返す。
【００６６】
図１に示された温潜熱蓄熱装置１０と、図２に示された温潜熱放熱装置４０とによって構成された熱供給システム１にて、例えば、温潜熱蓄熱装置１０によって、発電所等のプラントの施設内部にて深夜電力となる時間帯から、例えば、１０〜１２時間程度の蓄熱を行なった後、トレーラ３０にて一般施設４２ａへの蓄熱された蓄熱槽２９の牽引を行なう。そして、温潜熱放熱装置４０によって、一般施設４２ａにて昼間電力を使用することなく、蓄熱槽２９から給湯・暖房設備等として使用する熱の供給を行なうことができる。
【００６７】
図１に示された温潜熱蓄熱装置１０と、図２に示された温潜熱放熱装置４０とによって構成された熱供給システム１によると、電力の深夜料金時間帯時に発電所等のプラントから多量に排出される温排水ａからの熱を汲み上げ、汲み上げられた熱を適当な容量の蓄熱槽２９に蓄熱し、トレーラ３０によって熱需要施設４２である一般施設４２ａ近郊まで蓄熱槽２９の牽引を行なう。
【００６８】
電力の昼間料金時間帯時に発電所等のプラントの設置場所とは別の場所に設置される一般施設４２ａにて温排水ａから汲み上げた熱を給湯・暖房設備として利用させることができ、電力系統の負荷平準化と一般施設４２ａへの熱の低価格提供を実施できる。
【００６９】
なお、図１に示された温潜熱蓄熱装置１０では、蓄熱槽２９内部のカプセル３５に蓄熱材（温潜熱蓄熱材）である酢酸ソーダ３６を充填させ、酢酸ソーダ３６に潜熱蓄熱させたが、カプセル３５および潜熱材を充填させた場合に限定されない。例えば、カプセル３５および蓄熱材の充填されない空の蓄熱槽２９内部に、ヒートポンプ１２からの高温温熱流体ｄを貯水して顕熱蓄熱させる。そして、高温温熱流体ｄを輸送し、図２に示された蓄熱装置４０にて、蓄熱槽２９に貯水された高温温熱流体ｄを一般施設４２ａに供給してもよい。
【００７０】
図３は、本発明に係る熱供給システムの第２の実施形態であって、温潜熱放熱装置を示す概略図である。
【００７１】
図３は、熱供給システム１Ａを示し、この熱供給システム１Ａは、温潜熱放熱装置４０Ａを備える。温潜熱放熱装置４０Ａは、大きくは、図１に示された温潜熱蓄熱装置１０によって温潜熱蓄熱された酢酸ソーダ３６が充填される蓄熱槽２９と、トレーラ３０とから構成される蓄熱・輸送ユニット１４と、熱需要施設４２とから構成される。熱需要施設４２として、例えば、降雪地域に整備される融雪道路４２ｂがある。
【００７２】
さらに、融雪道路４２ｂには伝熱管４８が埋設され、伝熱管４８には、途中に循環ポンプ４３を備える流体ライン４４が接続される。流体ライン４４によって、高温温熱流体ｄが、流体供給部４５から伝熱管４８に供給される。高温温熱流体ｄは、伝熱管４８にて放熱して、放熱によって冷却された温熱流体ｃとなり、伝熱管４８から流体排出部４６に送られる構成とする。
【００７３】
ここで、蓄熱槽２９の流体導出部２８と伝熱管４８に接続される流体ライン４４の流体供給部４５とを脱着可能な接続手段３１ｃにて接続させる。一方、流体ライン４４の流体排出部４６と蓄熱槽２９の流体導入部２７とを脱着可能な接続手段３１ｄにて接続させる。すなわち、流体ライン４４に備える循環ポンプ４３によって、高温温熱流体ｄが、蓄熱槽２９から流体ライン４４を介して伝熱管４８に供給され、伝熱管４８にて温熱流体ｃとなる。この温熱流体ｃが、伝熱管４８から流体ライン４４を介して再び蓄熱槽２９に還流される閉じた循環回路が形成される。
【００７４】
続いて、温潜熱放熱装置４０Ａの温潜熱放熱作用について説明する。
【００７５】
まず、図１に示された温潜熱蓄熱装置１０によって温潜熱蓄熱された酢酸ソーダ３６が充填される蓄熱槽２９は、トレーラ３０によって、発電所等のプラントから流体ライン４４が接続された融雪道路４２ｂ近郊まで牽引される。そして、蓄熱槽２９の流体導出部２８と、伝熱管４８に接続される流体ライン４４の流体供給部４５とを接続手段３１ｃにて接続させる。一方、流体ライン４４の流体排出部４６と、蓄熱槽２９の流体導入部２７とを接続手段３１ｄにて接続させる。
【００７６】
蓄熱槽２９の流体導入部２７から導入された温熱流体ｃは、蓄熱槽２９内部のカプセル３５に充填された酢酸ソーダ３２から吸熱して、吸熱によって加熱された高温温熱流体ｄは、蓄熱槽２９の流体導出部２８から流体ライン４４を介して融雪道路４２ｂに埋設される伝熱管４８に供給される。
【００７７】
また、伝熱管４８では、高温温熱流体ｄと融雪道路４２ｂの路面上の積雪とによって熱交換され、高温温熱流体ｄは融雪設備として機能する。
【００７８】
さらに、高温温熱流体ｄは、融雪道路４２ｂに埋設される伝熱管４８にて放熱して温度降下され、温熱流体ｃに変化する。この温熱流体ｃは、流体ライン４４を介して流体導入部２７から蓄熱槽２９に還流される。
【００７９】
ここで、蓄熱槽２９内部のカプセル３５に充填される酢酸ソーダ３６は、高温温熱流体ｄ，温熱流体ｃの流体循環前は液相である。高温温熱流体ｄ，温熱流体ｃの流体循環が所要の時間行なわれると、蓄熱槽２９内部の酢酸ソーダ３６は、温熱流体ｃへの放熱を続ける。そして、蓄熱槽２９内部の酢酸ソーダ３６は、酢酸ソーダ３６の相変化温度（約５５℃）以下に冷却され、液相から固相に相変化する。
【００８０】
高温温熱流体ｄ，温熱流体ｃの流体循環は所要の時間行なわれ、高温温熱流体ｄ，温熱流体ｃの流体循環開始から所要の時間経過後、循環ポンプ４３を停止させ、高温温熱流体ｄ，温熱流体ｃの流体循環を停止させる。
【００８１】
さらに、接続手段３１ｃ，３１ｄによる接続をそれぞれ解除させ、流体導出部２８と流体供給部４５とを切り離し、また、流体排出部４６と流体導入部２７とを切り離す。すなわち、蓄熱槽２９を流体ライン４４から離脱させる。
【００８２】
そして、高温温熱流体ｄ，温熱流体ｃの流体循環系から離脱された蓄熱槽２９を、トレーラ３０によって発電所等のプラントの施設内部に牽引する。続いて、図１に示された温潜熱蓄熱装置１０による蓄熱槽２９の温潜熱蓄熱作用を繰返す。
【００８３】
図１に示された温潜熱蓄熱装置１０と、図３に示された温潜熱放熱装置４０Ａとによって構成された熱供給システム１Ａにて、例えば、温潜熱蓄熱装置１０によって、発電所等のプラントの施設内部にて深夜電力となる時間帯から、例えば、１０〜１２時間程度の蓄熱を行なった後、トレーラ３０にて融雪道路４２ｂへの蓄熱槽２９の運送を行なう。そして、温潜熱放熱装置４０Ａによって、融雪道路４２ｂにて昼間電力を使用することなく、蓄熱槽２９から融雪設備として使用する熱の供給を行なうことができる。
【００８４】
図１に示された温潜熱蓄熱装置１０と、図３に示された温潜熱放熱装置４０Ａとによって構成された熱供給システム１Ａによると、電力の深夜料金時間帯時に発電所等のプラントから多量に排出される温排水ａからの熱を汲み上げ、汲み上げられた熱を適当な容量の蓄熱槽２９に蓄熱し、トレーラ３０によって熱需要施設４２である融雪道路４２ｂ近郊まで蓄熱槽２９の牽引を行なう。
【００８５】
電力の昼間料金時間帯時に発電所等のプラントの設置場所とは別の場所に設置される融雪道路４２ｂにて温排水ａから汲み上げた熱を融雪設備として利用させることができ、電力系統の負荷平準化と融雪道路４２ｂの管理団体への熱の低価格提供を実施できる。
【００８６】
図４は、本発明に係る熱供給システムの第３の実施形態であって、冷潜熱蓄熱装置を示す概略図である。
【００８７】
図４は、熱供給システム１Ｂを示し、この熱供給システム１Ｂは、冷潜熱蓄熱装置５０を備える。冷潜熱蓄熱装置５０は、大きくは、図１に示された温潜熱蓄熱装置１０のヒートポンプ１２の下流側に吸着式冷凍機５１を備えた構成である。
【００８８】
ヒートポンプ１２には、途中に温熱循環ポンプ５３を備える温熱流体ライン５４が熱交換可能に設けられる。温熱流体ライン５４に備える温熱循環ポンプ５３によって、温熱流体ｃが、吸着式冷凍機５１からヒートポンプ１２に供給される。温熱流体ｃはヒートポンプ１２にて吸熱して、吸熱によって加熱された流体は高温温熱流体ｄとなり、ヒートポンプ１２から再び吸着式冷凍機５１に還流される閉じた循環回路が形成される。
【００８９】
吸着式冷凍機５１は、ヒートポンプ１２によって加熱された高温温熱流体ｄを駆動力として使用してエネルギーを変換し、冷熱流体ｅから低温冷熱流体ｆを発生させる熱駆動装置である。吸着式冷凍機５１には、２機の熱交換器（図示しない）を具備し、これらの熱交換器には、シリカゲル等の吸着剤を備える。
【００９０】
吸着式冷凍機５１には、途中に冷熱循環ポンプ５５を備える冷熱流体ライン５６が熱交換可能に設けられる。冷熱流体ライン５６に備える冷熱循環ポンプ５５によって、冷熱流体ｅが、冷熱流体入口部５７から吸着式冷凍機５１に供給される。冷熱流体ｅは吸着式冷凍機５１にて放熱して、放熱によって冷却された流体は低温冷熱流体ｆとなり、吸着式冷凍機５１から冷熱流体出口部５８に送られる構成とする。
【００９１】
ここで、吸着式冷凍機５１に接続される冷熱流体ライン５６の冷熱流体出口部５８と、蓄熱槽２９の流体導入部２７とを脱着可能な接続手段３１ａにて接続させる。一方、蓄熱槽２９の流体導出部２８と、冷熱流体ライン５６の冷熱流体入口部５７とを脱着可能な接続手段３１ｂにて接続させる。すなわち、低温冷熱流体ｆが、吸着式冷凍機５１から冷熱流体ライン５６を介して蓄熱槽２９に導入され、蓄熱槽２９にて冷熱流体ｅとなる。この冷熱流体ｅが、蓄熱槽２９から冷熱流体ライン５６を介して再び吸着式冷凍機５１に還流される閉じた循環回路が形成される。
【００９２】
また、蓄熱槽２９にはカプセル３５が保有され、このカプセル３５には蓄熱材が充填される。そして、充填される蓄熱材の蓄熱容量等によって蓄熱槽２９の容量が決定される。例えば、蓄熱材として冷潜熱蓄熱材である水（蓄熱容量約１８６ＭＪ／ｍ３）５９を利用した場合、トレーラ３０の積載重量制限と輸送距離とからコスト面を考慮して、蓄熱槽２９を、例えば、１８ｍ３程度あるいはそれ以下とすることが望ましい。蓄熱材として水５９を利用したが、特に、水５９に限定するものではない。
【００９３】
続いて、冷潜熱蓄熱装置５０の冷潜熱蓄熱作用について説明する。
【００９４】
まず、トレーラ３０によって蓄熱槽２９を発電所等のプラントの施設内部に牽引する。そして、吸着式冷凍機５１に接続される冷熱流体ライン５６の冷熱流体出口部５８と、蓄熱槽２９の流体導入部２７とを接続手段３１ａにて接続させる。一方、蓄熱槽２９の流体導出部２８と、冷熱流体ライン５６の冷熱流体入口部５７とを接続手段３１ｂにて接続させる。
【００９５】
続いて、図１に示された温潜熱蓄熱装置１０の温潜熱蓄熱作用と同様の作用により、図４に示された冷潜熱蓄熱装置５０のヒートポンプ１２からの高温温熱流体ｄが、吸着式冷凍機５１に備える熱交換器（図示しない）に導入される。
【００９６】
吸着式冷凍機５１では、高温温熱流体ｄを導入することによって、吸着式冷凍機５１に接続される冷熱流体ライン５６によって案内される冷熱流体ｅを熱交換する。すなわち、冷熱流体ライン５６によって案内される冷熱流体ｅは、吸着式冷凍機５１によって放熱して、放熱によって冷却された低温冷熱流体ｆとなる。
【００９７】
そして、吸着式冷凍機５１によって冷却された低温冷熱流体ｆは、冷熱流体ライン５６を介して蓄熱槽２９に導入される。
【００９８】
さらに、低温冷熱流体ｆは、蓄熱槽２９内部のカプセル３５に充填される水５９から吸熱して、蓄熱槽２９から導出されるときには温度上昇され、冷熱流体ｅに変化する。この冷熱流体ｅは、冷熱流体ライン５６を介して吸着式冷凍機５１に還流される。
【００９９】
ここで、蓄熱槽２９内部のカプセル３５に充填される潜熱蓄熱材としての水５９は、冷熱流体ｅ，低温冷熱流体ｆの流体循環前は液相である。冷熱流体ｅ，低温冷熱流体ｆの流体循環が所要の時間行なわれると、蓄熱槽２９内部の水５９は、低温冷熱流体ｆに放熱を続ける。そして、蓄熱槽２９内部の水５９は、水５９の相変化温度（約０℃）以下に冷却され、液相から固相に相変化する。すなわち、低温冷熱流体ｆから奪った冷熱を蓄熱槽２９内部の水５９に冷潜熱蓄熱させる。
【０１００】
冷熱流体ｅ，低温冷熱流体ｆの流体循環は所要の時間行なわれ、蓄熱槽２９内部の蓄熱温度を調整する。そして、冷熱流体ｅ，低温冷熱流体ｆの流体循環開始から所要の時間経過後、冷熱循環ポンプ５５を停止させ、冷熱流体ｅ，低温冷熱流体ｆの流体循環を停止させる。
【０１０１】
さらに、接続手段３１ａ，３１ｂによる接続をそれぞれ解除させ、冷熱流体出口部５８と流体導入部２７とを切り離し、また、流体導出部２８と冷熱流体入口部５７とを切り離す。すなわち、蓄熱槽２９を冷熱流体ライン５６から離脱させる。
【０１０２】
そして、冷熱流体ｅ，低温冷熱流体ｆの流体循環系から離脱された蓄熱槽２９を、トレーラ３０によって発電所等のプラントの施設外部に牽引する。
【０１０３】
図５は、本発明に係る熱供給システムの第３の実施形態であって、冷潜熱放熱装置を示す概略図である。
【０１０４】
図５は、熱供給システム１Ｂを示し、この熱供給システム１Ｂは、冷潜熱放熱装置６０を備える。冷潜熱放熱装置６０は、大きくは、図４に示された冷潜熱蓄熱装置５０によって冷潜熱蓄熱された水５９が充填される蓄熱槽２９と、トレーラ３０とから構成される蓄熱・輸送ユニット１４と、熱需要施設４２とから構成される。熱需要施設４２として、例えば、市街地等に設置される一般家庭・工場・病院・学校等（以下、「一般施設」という。）４２ａがある。
【０１０５】
さらに、一般施設４２ａには、途中に循環ポンプ４３を備える流体ライン４４が接続される。流体ライン４４によって、低温冷熱流体ｆが、流体供給部４５から一般施設４２ａに供給される。低温冷熱流体ｆは、一般施設４２ａにて吸熱して、吸熱によって加熱された冷熱流体ｅとなり、一般施設４２ａから流体排出部４６に送られる構成とする。
【０１０６】
ここで、蓄熱槽２９の流体導出部２８と一般施設４２ａに接続される流体ライン４４の流体供給部４５とを脱着可能な接続手段３１ｃにて接続させる。一方、流体ライン４４の流体排出部４６と蓄熱槽２９の流体導入部２７とを脱着可能な接続手段３１ｄにて接続させる。すなわち、流体ライン４４に備える循環ポンプ４３によって、低温冷熱流体ｆが、蓄熱槽２９から流体ライン４４を介して一般施設４２ａに供給され、一般施設４２ａにて冷熱流体ｅとなる。この冷熱流体ｅが、一般施設４２ａから流体ライン４４を介して再び蓄熱槽２９に還流される閉じた循環回路が形成される。
【０１０７】
続いて、冷潜熱放熱装置６０の冷潜熱放熱作用について説明する。
【０１０８】
まず、図４に示された冷潜熱蓄熱装置５０によって冷潜熱蓄熱された水５９が充填される蓄熱槽２９は、トレーラ３０によって、発電所等のプラントから流体ライン４４が接続された一般施設４２ａ近郊まで牽引される。そして、蓄熱槽２９の流体導出部２８と、一般施設４２ａに接続される流体ライン４４の流体供給部４５とを接続手段３１ｃにて接続させる。一方、流体ライン４４の流体排出部４６と、蓄熱槽２９の流体導入部２７とを接続手段３１ｄにて接続させる。
【０１０９】
蓄熱槽２９の流体導入部２７から導入された冷熱流体ｅは、蓄熱槽２９内部のカプセル３５に充填された水５９に放熱して、放熱によって冷却された低温冷熱流体ｆは、蓄熱槽２９の流体導出部２８から流体ライン４４を介して一般施設４２ａに供給される。
【０１１０】
また、一般施設４２ａでは、低温冷熱流体ｆを、例えば、一般施設４２ａ内部または近郊に設置された適当な熱交換器（図示しない）を介して、暖気が冷気に熱交換され、一般施設４２ａ内部の所要の場所の冷房設備として機能する。
【０１１１】
さらに、低温冷熱流体ｆは、一般施設４２ａ内部にて吸熱して温度上昇され、冷熱流体ｅに変化し、この冷熱流体ｅは、流体ライン４４を介して流体導入部２７から蓄熱槽２９に還流される。
【０１１２】
ここで、蓄熱槽２９内部のカプセル３５に充填される水５９は、低温冷熱流体ｆ，冷熱流体ｅの流体循環前は固相である。低温冷熱流体ｆ，冷熱流体ｅの流体循環が所要の時間行なわれると、蓄熱槽２９内部の水５９は、冷熱流体ｅから吸熱を続ける。そして、蓄熱槽２９内部の水５９は、水５９の相変化温度（約０℃）以上に加熱され、固相から液相に相変化する。
【０１１３】
低温冷熱流体ｆ，冷熱流体ｅの流体循環は所要の時間行なわれ、低温冷熱流体ｆ，冷熱流体ｅの流体循環開始から所要の時間経過後、循環ポンプ４３を停止させ、低温冷熱流体ｆ，冷熱流体ｅの流体循環を停止させる。
【０１１４】
さらに、接続手段３１ｃ，３１ｄによる接続をそれぞれ解除させ、流体導出部２８と流体供給部４５とを切り離し、また、流体排出部４６と流体導入部２７とを切り離す。すなわち、蓄熱槽２９を流体ライン４４から離脱させる。
【０１１５】
そして低温冷熱流体ｆ，冷熱流体ｅの流体循環系から離脱された蓄熱槽２９を、トレーラ３０によって発電所等のプラントの施設内部に牽引する。続いて、図４に示された冷潜熱蓄熱装置５０による蓄熱槽２９の冷潜熱蓄熱作用を繰返す。
【０１１６】
図４に示された冷潜熱蓄熱装置５０と、図５に示された冷潜熱放熱装置６０とによって構成された熱供給システム１Ｂにて、例えば、冷潜熱蓄熱装置５０によって、発電所等のプラントの施設内部にて深夜電力となる時間帯から、例えば、１０〜１２時間程度の冷熱蓄熱を行なった後、トレーラ３０にて一般施設４２ａへの冷熱蓄熱された蓄熱槽２９の牽引を行なう。そして、冷潜熱放熱装置６０によって、一般施設４２ａにて昼間電力を使用することなく、蓄熱槽２９から冷房設備として使用する冷熱の供給を行なうことができる。
【０１１７】
図４に示された冷潜熱蓄熱装置５０と、図５に示された冷潜熱放熱装置６０とによって構成された熱供給システム１Ｂによると、電力の深夜料金時間帯時に発電所等のプラントから多量に排出される温排水ａからの冷熱を汲み上げ、汲み上げられた冷熱を適当な容量の蓄熱槽２９に冷熱蓄熱し、トレーラ３０によって一般施設４２ａ近郊まで蓄熱槽２９の牽引を行なう。
【０１１８】
電力の昼間料金時間帯時に発電所等のプラントの設置場所とは別の場所に設置される一般施設４２ａにて温排水ａから汲み上げた冷熱を冷房設備として利用させることができ、電力系統の負荷平準化と一般施設４２ａへの冷熱の低価格提供を実施できる。
【図面の簡単な説明】
【０１１９】
【図１】本発明に係る温排水を利用した熱供給システムの第１の実施形態であって、温潜熱蓄熱装置を示す概略図。
【図２】本発明に係る温排水を利用した熱供給システムの第１の実施形態であって、温潜熱放熱装置を示す概略図。
【図３】本発明に係る温排水を利用した熱供給システムの第２の実施形態であって、温潜熱放熱装置を示す概略図。
【図４】本発明に係る温排水を利用した熱供給システムの第３の実施形態であって、冷潜熱蓄熱装置を示す概略図。
【図５】本発明に係る温排水を利用した熱供給システムの第３の実施形態であって、冷潜熱放熱装置を示す概略図。
【符号の説明】
【０１２０】
１，１Ａ，１Ｂ  熱供給システム
１２  ヒートポンプ
２２  ヒートポンプサイクル
２４  温熱流体ライン
２６  温熱流体出口部
２７  流体導入部
２９  蓄熱槽
３５  カプセル
４２  熱需要施設
４４  流体ライン
４５  流体供給部
４６  流体排出部
５１  吸着式冷凍機
５６  冷熱流体ライン
５８  冷熱流体出口部
【図１】
2005257173.tif 000003
【図２】
2005257173.tif 000004
【図３】
2005257173.tif 000005
【図４】
2005257173.tif 000006
【図５】
2005257173.tif 000007